(57)【要約】【課題】使い勝手の良い胎教システムの提供【解決手段】  胎教システムは、母体の腹部を介して胎児に向けて胎教音を発生させる胎教音発生装置３と、胎教音発生装置３に音声データを送信する携帯端末４と、を備える。胎教音発生装置３は、携帯端末４からの音声データに基づき胎教音を発生させる。携帯端末４は、音声入力部４２により集音された音声を音声データとして胎教音発生装置３へ送信する。携帯端末４において所定の機能が実行されると、表示部４４は所定の機能に対応する胎教画面を表示すると共に、音声データが胎教音発生装置３へ送信される。【選択図】図１
2015053566.tif 000002
【特許請求の範囲】
【請求項１】
胎児に胎教音を聴かせる胎教システムであって、
母体の腹部を介して前記胎児に向けて前記胎教音を発生させる胎教音発生装置と、前記胎教音発生装置に音声データを送信する携帯端末と、を備え、
前記胎教音発生装置は、前記携帯端末から前記音声データを受信する受信手段と、前記受信手段で受信した音声データに基づき前記胎教音を発生させる音声出力手段と、を備え、
前記携帯端末は、使用者の音声を集音する音声入力手段と、前記音声入力手段により集音された音声を前記音声データとして前記胎教音発生装置へ送信する送信手段と、所定の機能を実行する実行手段と、前記所定の機能の実行実績に応じて、複数の項目の各々に対応する複数の成績値を算出する成績値算出手段と、前記複数の成績値を表示する表示手段と、を備え、
前記所定の機能が実行されると、前記表示手段は前記所定の機能に対応する所定の胎教画面を表示すると共に、前記送信手段は前記音声データを前記胎教音発生装置へ送信することを特徴とする胎教システム。
【請求項２】
前記実行手段は、前記所定の機能を含む複数の機能のうち、選択された何れか１の機能を実行し、
前記成績値算出手段は、前記複数の機能の各々の実行実績に応じて、前記複数の成績値を算出することを特徴とする請求項１に記載の胎教システム。
【請求項３】
前記成績値算出手段は、前記実行手段により何れか１の機能が実行された場合に、実行された何れか１の機能について予め設定された複数の評価値の各々を、対応する従前の複数の成績値の各々に加算して、新たな複数の成績値を算出し、
前記複数の評価値の各々は前記複数の項目の各々に対応することを特徴とする請求項２に記載の胎教システム。
【請求項４】
前記複数の機能の何れもが所定時間実行されない場合には、前記成績値算出手段は、従前の複数の成績値の各々から所定値を減算して、新たな複数の成績値を算出することを特徴とする請求項２又は３に記載の胎教システム。
【請求項５】
前記表示手段は、前記複数の成績値をレーダーチャート形式で表示することを特徴とする請求項１〜４の何れかに記載の胎教システム。
【請求項６】
前記複数の機能には絵本読み聞かせ機能が含まれ、前記絵本読み聞かせ機能が選択されると、前記表示手段は、選択された絵本の頁画像を表示し、前記送信手段は前記集音音声信号を前記音声データとして前記胎教音発生装置へ送信することを特徴とする請求項２〜５の何れかに記載の胎教システム。
【請求項７】
前記端末装置は朗読データを記憶する記憶手段を更に備え、前記絵本読み聞かせ機能が選択されると、前記送信手段は、前記集音音声信号を前記音声データとして前記胎教音発生装置へ送信すると共に、前記表示手段に表示された絵本の頁画像に対応する朗読データを前記音声データとして前記胎教音発生装置へ送信することを特徴とする請求項６に記載の胎教システム。
【請求項８】
使用者の音声を集音して集音音声信号を生成する音声入力手段と、音声データに基づき母体の腹部を介して胎児に向けて胎教音を発生させる胎教音発生装置に前記音声データを送信する送信手段と、表示手段と、を備える携帯端末のコンピュータに、
前記送信部から前記音声データを前記胎教音発生装置へ送信させる送信制御手段と、
所定の機能を実行する実行手段と、
前記所定の機能の実行実績に応じて複数の項目の各々に対応する複数の成績値を算出する成績値算出手段と、
前記表示手段に前記複数の成績値を表示させる表示制御手段として機能させ、
前記実行手段により前記所定の機能が実行されると、前記表示制御手段は、前記表示手段に前記所定の機能に対応する胎教画面を表示させると共に、前記送信制御手段は、前記送信手段に前記音声データを前記胎教音発生装置へ送信させることを特徴とする携帯端末用プログラム。
【発明の詳細な説明】
【技術分野】
【０００１】
本発明は、携帯端末を用いて胎児に音声を出力することにより胎教を行う胎教システム及びこれに用いられる携帯端末用プログラムに関する。
【背景技術】
【０００２】
従来から、妊娠時期から胎教を行うことは胎児の発育を促進し出生後の言語能力等にも好影響を与えると言われており、このような胎教を行うための胎教装置が種々提案されている。例えば、特許文献１に記載の装置は、ベルトに設けられたポーチに音声入力装置とスピーカとを配置し、マイクを介して入力された母親の声や予め録音された音楽等をスピーカを介して胎児に聴かせることができるように構成されている。
【先行技術文献】
【特許文献】
【０００３】
【特許文献１】特開平１０−１７７３３３号公報
【発明の概要】
【発明が解決しようとする課題】
【０００４】
しかしながら、従来の装置は大がかりすぎて、気軽に利用することが出来なかった。また、使用者は自分が胎教をどの程度行ったかを客観的に把握することが困難であり、また胎児に対してどのような話しかけを行ったらよいのか戸惑うという問題があった。
【０００５】
本発明は、母親にとって使い勝手の良い胎教システム及びこれに用いられる携帯端末用プログラムの提供を目的とする。
【課題を解決するための手段】
【０００６】
本発明の請求項１に係る胎教システムは、胎児に胎教音を聴かせる胎教システムであって、母体の腹部を介して前記胎児に向けて前記胎教音を発生させる胎教音発生装置と、前記胎教音発生装置に音声データを送信する携帯端末と、を備え、前記胎教音発生装置は、前記携帯端末から前記音声データを受信する受信手段と、前記受信手段で受信した音声データに基づき前記胎教音を発生させる音声出力手段と、を備え、前記携帯端末は、使用者の音声を集音する音声入力手段と、前記音声入力手段により集音された音声を前記音声データとして前記胎教音発生装置へ送信する送信手段と、所定の機能を実行する実行手段と、前記所定の機能の実行実績に応じて、複数の項目の各々に対応する複数の成績値を算出する成績値算出手段と、前記複数の成績値を表示する表示手段と、を備え、前記所定の機能が実行されると、前記表示手段は前記所定の機能に対応する所定の胎教画面を表示すると共に、前記送信手段は前記音声データを前記胎教音発生装置へ送信することを特徴とする。
【０００７】
本発明の請求項２に記載の胎教システムは、前記実行手段は、前記所定の機能を含む複数の機能のうち、選択された何れか１の機能を実行し、前記成績値算出手段は、前記複数の機能の各々の実行実績に応じて、前記複数の成績値を算出することを特徴とする。
【０００８】
本発明の請求項３に記載の胎教システムは、前記成績値算出手段は、前記実行手段により何れか１の機能が実行された場合に、実行された何れか１の機能について予め設定された複数の評価値の各々を、対応する従前の複数の成績値の各々に加算して、新たな複数の成績値を算出し、前記複数の評価値の各々は前記複数の項目の各々に対応することを特徴とする。
【０００９】
本発明の請求項４に記載の胎教システムは、前記複数の機能の何れもが所定時間実行されない場合には、前記成績値算出手段は、従前の複数の成績値の各々から所定値を減算して、新たな複数の成績値を算出することを特徴とする。  
本発明の請求項５に記載の胎教システムは、前記表示手段は、前記複数の成績値をレーダーチャート形式で表示することを特徴とする。
【００１０】
本発明の請求項６に記載の胎教システムは、前記複数の機能には絵本読み聞かせ機能が含まれ、前記絵本読み聞かせ機能が選択されると、前記表示手段は、選択された絵本の頁画像を表示し、前記送信手段は前記集音音声信号を前記音声データとして前記胎教音発生装置へ送信することを特徴とする。
【００１１】
本発明の請求項７に記載の胎教システムは、前記端末装置は朗読データを記憶する記憶手段を更に備え、前記絵本読み聞かせ機能が選択されると、前記送信手段は、前記集音音声信号を前記音声データとして前記胎教音発生装置へ送信すると共に、前記表示手段に表示された絵本の頁画像に対応する朗読データを前記音声データとして前記胎教音発生装置へ送信することを特徴とする。
【００１２】
本発明の請求項８に記載の携帯端末用プログラムは、使用者の音声を集音して集音音声信号を生成する音声入力手段と、音声データに基づき母体の腹部を介して胎児に向けて胎教音を発生させる胎教音発生装置に前記音声データを送信する送信手段と、表示手段と、を備える携帯端末のコンピュータに、前記送信部から前記音声データを前記胎教音発生装置へ送信させる送信制御手段と、所定の機能を実行する実行手段と、前記所定の機能の実行実績に応じて複数の項目の各々に対応する複数の成績値を算出する成績値算出手段と、前記表示手段に前記複数の成績値を表示させる表示制御手段として機能させ、前記実行手段により前記所定の機能が実行されると、前記表示制御手段は、前記表示手段に前記所定の機能に対応する胎教画面を表示させると共に、前記送信制御手段は、前記送信手段に前記音声データを前記胎教音発生装置へ送信させることを特徴とする。  
【発明の効果】
【００１３】
本発明の請求項１に記載の胎教システムによれば、所定の機能が実行されると、使用者の音声は音声データとして胎教音発生装置へ送信されるので、使用者は携帯端末及び胎教音発生装置を介して胎教を行うことができる。また、表示手段に胎教画面が表示されるので、使用者はこの胎教画面の表示内容を参考に胎教を行うことができ、胎教に不慣れな使用者であっても、話しかけの内容等に困ることがない。更に、機能の実行実績に応じて、複数の項目の各々について複数の成績値が算出されて表示されるので、使用者は達成感を得ることができると共に、自分が行った胎教の程度を知ることができる。また、各成績値は、所定の機能が実行されると成績値算出手段により自動的に算出されて更新されるので、使用者は自ら管理する必要がなく利便性が良い。
【００１４】
また、本発明の請求項２に記載の胎教システムによれば、複数の成績値は、複数の機能の各々の実行実績に応じて算出されるので、使用者は自分が行った胎教の程度を総合的に判断することができる。
【００１５】
また、本発明の請求項３に記載の胎教システムによれば、予め設定された評価値を用いて成績値を算出できるので、成績値の算出を容易に行うことができる。
【００１６】
また、本発明の請求項４に記載の胎教システムによれば、複数の機能の何れもが所定時間実行されない場合には、従前の複数の成績値の各々から所定値を減算して、新たな複数の成績値を算出するので、利用者に継続的な胎教等を促すことができる。
【００１７】
また、本発明の請求項５に記載の胎教システムによれば、複数の成績値はレーダーチャート形式で表示されるので、成績値の把握が容易である。
【００１８】
また、本発明の請求項６に記載の胎教システムによれば、絵本読み聞かせ機能が選択されると、絵本の頁画像が表示されると共に集音音声信号が胎教音発生装置へ送信されるので、使用者は表示された頁画像を見ながら携帯端末及び胎教音発生装置を介して絵本の読み聞かせを行うことができる。
【００１９】
また、本発明の請求項７に記載の胎教システムによれば、絵本読み聞かせ機能が選択されると、朗読データも胎教音発生装置へ送信されるので、例えばネイティブスピーカにより朗読された英語の音声を朗読データとして記憶手段に記憶させておけば、胎児に自然な英語に触れさせることができる。
【００２０】
また、本発明の請求項８に記載の携帯端末様プログラムによれば、上述した請求項１に記載の胎教システムと同様の効果が得られる。
【図面の簡単な説明】
【００２１】
【図１】本発明の実施形態に係る胎教システムの使用状態を示す概念図。
【図２】図１に示す胎教システムが備える装着具、胎教音発生装置、及び携帯端末を示す概略図。
【図３】図２に示す胎教音発生装置及び携帯端末の概要構成例を示すブロック図。
【図４】図２に示す携帯端末の記憶部に記憶される参照テーブルを示す図。
【図５】図２に示す携帯端末の記憶部に記憶される成績テーブルを示す図であって、（ａ）は更新前、（ｂ）は更新後の状態を示す。
【図６】図２に示す携帯端末によって実行される処理を示すフローチャート。
【図７】図６のステップＳ３の処理で表示されるトップ画面の一例を示す図。
【図８】図７に示すトップ画面において「心」が選択された場合に表示される機能選択画面の一例を示す図。
【図９】図６のステップＳ７で実行される第２成績テーブル更新処理を示すフローチャート。
【図１０】図６のステップＳ５で実行処理される絵本読み聞かせ機能により表示される各種画面の具体例を示す図であって、（ａ）は絵本選択画面の一例を示す図、（ｂ）はモード選択画面の一例を示す図、（ｃ）は絵本頁画面の一例を示す図、（ｄ）は話しかけ画面の一例を示す図。
【図１１】図６のステップＳ５で実行処理される文字胎教機能により表示される各種画面の具体例を示す図であって、（ａ）は文字選択画面の一例を示す図、（ｂ）〜（ｃ）は文字画面の例を示す図。
【図１２】図６のステップＳ５で実行処理されるお散歩機能により表示される各種画面の具体例を示す図であって、（ａ）はお散歩トップ画面の一例を示す図、（ｂ）はメイン選択画面の一例を示す図、（ｃ）はサブ選択画面の一例を示す図、（ｄ）は話しかけ画面の一例を示す図である。
【図１３】図６のステップＳ５で実行処理されるスケジュール管理機能により表示される管理トップ画面の一例を示す図。
【図１４】図６のステップＳ５で実行処理される赤ちゃん博士機能で表示される管理トップ画面の一例を示す図。
【発明を実施するための形態】
【００２２】
以下、添付図面を参照して、本発明に従う胎教システムの一実施形態について説明する。図１及び図２を参照して、図示の胎教システムは、使用者Ｐである妊婦Ｍにより装着される装着具２と、装着具２に収容されて用いられる胎教音発生装置３と、胎教音発生装置３と通信接続可能な携帯端末４と、を備える。本実施形態における装着具２はコルセットタイプの妊婦帯から構成され、妊婦Ｍの腹部に装着される。装着具２は電磁波防止性能を有する素材で構成されるのが好ましい。装着具２にはポケット状の収容部２１が設けられており、ここに胎教音発生装置３が収容保持される。胎教音発生装置３は、妊婦Ｍの腹部（母体）を介して胎児に向けて胎教音を発生さるように構成されている。本実施形態では、携帯端末４として通信機能を備えた多機能型のスマートフォンを用いる。携帯端末４は接続手段９０により胎教音発生装置３と通信接続が可能であり、本実施形態では接続手段９０として近距離無線通信としてのブルートゥース（登録商標）を用いる。
【００２３】
図３をも参照して、胎教音発生装置３は、接続手段９０により携帯端末４との接続を可能にする通信接続部３１と、音声を出力する音声出力部（音声出力手段）３２と、を備える。通信接続部３１は、主に携帯端末４から接続手段９０を介して送信された音声データを受信する受信手段として機能し、このようにして受信された音声データは音声出力部３２へ提供される。音声出力部３２は通信接続部３１から提供された音声データに基づき音声を出力し、胎児はこのようにして出力された音声を聴くことができる。
【００２４】
一方、携帯端末４は、記憶部４１と、音声入力部４２と、音声出力部４３と、表示部４４と、操作部４５と、通信接続部４６と、携帯無線通信部４７と、制御部４８と、を備える。
【００２５】
記憶部４１は、例えば、不揮発性半導体メモリ等により構成される。記憶部４１には、ＯＳ（Operating System）や制御プログラム等が記憶されると共に、ワークエリアとして用いられる。制御プログラムには本発明の携帯端末用プログラムとしての胎教プログラム４１ａが含まれ、この胎教プログラム４１ａは、コンピュータとしての制御部４８に本発明の処理を実行させる。また、胎教プログラム４１ａは制御部４８に複数の機能を付与するものであって、本実施形態におけるこれらの機能には、後述する絵本読み聞かせ機能、文字胎教機能、お散歩機能、スケジュール管理機能、及び赤ちゃん博士機能が含まれる。
【００２６】
また、記憶部４１には、図４に示す参照テーブルＴ１と、図５（ａ）に示す成績テーブルＴ２が記憶されている。参照テーブルＴ１では、上述した複数の機能が複数のカテゴリに分類されるとともに、各機能の評価値が格納されている。即ち、本実施形態においては、予め複数の項目が規定されており、これらの項目における評価値が各機能について予め設定されている。図４に示す例では、絵本読み聞かせ機能、文字胎教機能、及びお散歩機能が「ベビー」カテゴリに、スケジュール管理機能及び赤ちゃん博士機能が「ママ」カテゴリに分類され、「心」、「知」、「体」、「優」、「健」、及び「能」の６項目について各機能の評価値が格納されている。一方、成績テーブルＴ２には後述のように算出された各項目の成績値が格納されるとともに、成績テーブルＴ２の最終更新日時が格納される。
【００２７】
記憶部４１には更に、オーディオデータや表示データ等が記憶されている。オーディオデータは、例えば、物語の朗読データや音楽の演奏データであって、表示データは、例えば絵本の頁画像データ等である。
【００２８】
音声入力部（音声入力手段）４２は主に使用者Ｐの音声を集音し、これを集音音声信号として制御部４８に入力する。音声出力部４３は、制御部４８からの制御指令に応じて音声等を出力する。表示部（表示手段）４４は表示画面Ｄ（図２）を備え、制御部４８からの制御指令に応じて、例えば記憶部４１に記憶された表示データに基づく所定の画像を表示画面Ｄに表示する。
【００２９】
操作部４５は、使用者Ｐからの操作入力情報を入力して制御部４８に通知する。本実施形態における操作部４５は、表示部４４の表示画面Ｄ上に形成されたタッチパネル方式の操作部として構成されている。
【００３０】
通信接続部４６は、接続手段９０を介して胎教音発生装置３との通信接続を可能にするものであって、制御部４８からの制御指令に応じて音声入力部４２からの集音音声信号や記憶部４１から読み出されたオーディオデータを音声データとして胎教音発生装置３へ出力する送信手段として機能する。携帯無線通信部４７は、インターネット等のネットワークや公衆無線回線網を介して各種通信を行うものである。
【００３１】
制御部４８は、ＣＰＵ等のマイクロコンピュータにより構成され、携帯端末４における各部の動作の制御や演算処理を行う。例えば、胎教プログラム４１ａに規定される各種処理が制御部４８において実行されることで、上述した各種機能が実現され、また制御部４８は後述する表示制御手段、成績値算出手段、送信制御手段、実行手段等として機能する。
【００３２】
次に、図６を参照して、本実施形態の携帯端末４の動作について説明する。図６は、本実施形態の携帯端末４の制御部４８における処理の一例を示すフローチャートである。
【００３３】
図６に示す処理は、携帯端末４の胎教プログラム４１ａが起動することにより開始される。図６に示す処理が開始されると、制御部４８はまず、成績テーブルＴ２に格納されている最終更新日時と現在の日時とを比較して、最終更新日時からの経過時間を算出し（ステップＳ１）、当該経過時間が所定時間（例えば４８時間）以上か否かを判定する（ステップＳ２）。経過時間が所定時間以上でなければ（ステップＳ２：Ｎｏ）、表示部４４にトップ画面を表示させる（ステップＳ３）。トップ画面の一例を図７に示す。このトップ画面には、各カテゴリに対応する複数の第１アイコン５１と、各項目に対応する複数の第２アイコン５２と、第２アイコン５２の各々に対応させて、各項目の成績値を示すレーダーチャート５３が表示される。このレーダーチャート５３は、成績テーブルＴ５に格納されている成績値に基づき表示される。使用者Ｐはこのトップ画面において第１アイコン５１又は第２アイコン５２をタッチすることで、所望のカテゴリ又は項目を選択することができる。
【００３４】
トップ画面にて使用者Ｐがいずれかのカテゴリ又は項目を選択すると、制御部４８は、選択されたカテゴリ又は項目に応じて図８に示す様な機能選択画面を表示部４４に表示させる（ステップＳ４）。より具体的に、トップ画面で何れかの第１アイコン５１（カテゴリ）が選択されると、選択されたカテゴリに属する全ての機能がリスト表示される。一方、トップ画面で何れかの第２アイコン５２（項目）が選択されると、選択された項目について参照テーブルＴ１でプラスの評価値が格納されている機能がリスト表示される。例えば、トップ画面でカテゴリ「ベビー」に対応する第１アイコン５１が選択された場合、カテゴリ「ベビー」に属する機能、即ち絵本読み聞かせ機能、文字胎教機能、及びお散歩機能（図４参照）が機能選択画面にてリスト表示される。或いは、トップ画面で項目「健」に対応する第２アイコン５２が選択されると、項目「健」についてプラスの評価値を有するお散歩機能及びスケジュール管理機能（図４参照）が機能選択画面にてリスト表示される。この場合、選択された項目について高い評価値を有するものから優先的に表示させるのが好ましい。図８に示す機能選択画面は、トップ画面にて項目「心」が選択された場合の表示例であって、項目「心」について＋１の評価値を有する「文字胎教」よりも上方位置に＋２の評価値を有する「絵本読み聞かせ」及び「お散歩」が表示されている。
【００３５】
機能選択画面にて使用者Ｐが何れかの機能を選択すると、制御部４８は選択された機能の実行処理を行い（ステップＳ５）、第１成績テーブル更新処理を行う（ステップＳ６）。第１成績テーブル更新処理は、成績テーブルＴ２に格納されている各項目の成績値に、Ｓ５で実行された機能の各項目に対する評価値を加算することにより新たな成績値を算出する。そして、成績テーブルＴ２に格納されている成績値を当該新たな成績値で上書きすると共に、最終更新日時を現在の日時で上書きする。例えば、絵本読み聞かせ機能が実行されて図５（ａ）に示す成績テーブルＴ２を更新する場合には、図４に示す参照テーブルＴ１を参照して、「心」については＋２、「知」及び「優」については＋１、「体」、「健」、「能」については０がそれぞれ加算され、図５（ｂ）に示すようになる。
【００３６】
一方、ステップＳ２において所定時間以上であると判定されると（ステップＳ２：Ｙｅｓ）、制御部４８は第２成績テーブル更新処理を実行し、経過時間に応じて成績テーブルＴ２に格納されている成績値を全項目について減算する（ステップＳ７）。この第２成績テーブル更新処理について図９に示すフローチャートを参照して具体的に説明する。
【００３７】
第２成績テーブル更新処理が開始されると、制御部４８はまず、最終更新日時からの経過時間に応じて減算値ｉを算出する（ステップＳ２１）。減算値ｉとしては、例えば最終更新日時から４８時間経過するごとに「１」の値を減算するように設定することができる。次に、制御部４８は、第１の項目（例えば「心」）について、成績テーブルＴ２に格納されている現在の成績値ｊからステップＳ２１で算出した減算値ｉを減算して、値ｋを算出する（ステップＳ２２）。次に、制御部４８は、値ｋが０以上か否かを判定する（ステップＳ２３）。値ｋが０以上であれば（Ｓ２３：ＹＥＳ）、値ｋを成績値として成績テーブルＴ２に格納し（ステップＳ２４）、ステップＳ２６へ移行する。一方、値ｋが０未満であれば（ステップＳ２３：Ｎｏ）、成績値として０の値を成績テーブルＴ２に格納し（ステップＳ２５）、ステップ２６へ移行する。ステップＳ２６では、制御部４８は次の項目があるか否かを判定し、次の項目があれば（ステップＳ２７）、ステップＳ２２へ戻り当該次の項目について上記処理を繰り返す。一方、次の項目がない、即ち全ての項目について上記処理が実行された場合には、制御部４８は最終更新日時を現在の日時で上書きし（ステップＳ２７）、第２成績テーブル更新処理が完了する。その後、図６のステップＳ２へ移行する。
【００３８】
このように、本実施形態によれば、使用者Ｐが何れかの機能を実行（利用）すると、制御部４８は実行された機能に応じて自動的に成績値を算出して更新するので、使用者Ｐは自分で記録を付けなくても胎教にかかる実績等を確認することができ、使い勝手が良い。また、何れの機能も実行されずに所定時間が経過すると、制御部４８は経過時間に応じて成績値を減算して更新するので、使用者Ｐに対して継続的に胎教等を行うように促すことができる。
【００３９】
次に、ステップＳ５にて実行処理される各種機能について説明する。ここで、「ベビー」カテゴリに分類される各種機能（即ち、絵本読み聞かせ機能、文字胎教機能、及びお散歩機能）の実行処理中は、制御部４８は通信接続部４８を制御して、音声入力部４２により集音された使用者Ｐの音声を音声データとして接続手段９０を介して胎教音発生装置３へ送信すると共に、使用者Ｐによる操作等に応じて記憶部４１から読み出したオーディオデータを音声データとして接続手段９０を介して胎教音発生信号３へ送信させる。よって、使用者Ｐが発した言葉及び記憶部４１から読み出されたオーディオデータは、胎教音発生装置３の音声出力部３２から胎児に向けて出力され、胎児はこのようにして出力された使用者Ｐの音声やオーディデータに基づく再生音を聴くことができる。これに対し、「ママ」カテゴリに分類される各種機能（即ち、スケジュール管理機能及び赤ちゃん博士機能）の実行処理中は、携帯端末４から胎教音発生装置３への音声データの送信は行われない。一方、制御部４８は、操作部４５から入力された使用者Ｐの操作に基づき必要な画像データを記憶部４１から読み出し、当該画像データに基づく画像を表示部４４に表示させると共に、操作部４５から入力された使用者Ｐからの各種データを記憶部４１の該当エリアへ格納する。
【００４０】
以下、絵本読み聞かせ機能、文字胎教機能、お散歩機能、スケジュール管理機能、及び赤ちゃん博士機能の順に説明する。絵本読み聞かせ機能が実行処理されると、制御部４８はまず、表示部４４に絵本選択画面を表示させる。絵本選択画面の一例を図１０（ａ）に示す。この絵本選択画面には利用可能な絵本名がリスト表示される。
【００４１】
この絵本選択画面にて使用者Ｐが所望の絵本名を選択すると、制御部４８は表示部４４にモード選択画面を表示させる。モード選択画面の一例を図１０（ｂ）に示す。図１０（ｂ）に示す例では、「ママ読み聞かせ」について「日本語」モード、「英語」モード、「日英」モードのいずれかを選択でき、「再生音」についても「日本語」モード、「英語」モード、「日英」モードのいずれかを選択でき、また「話しかけ」について「オン」、「オフ」のいずれかを選択することができる。
【００４２】
使用者Ｐがモード選択画面にて選択を行い、次ボタン５５をタッチすると、制御部４８は選択内容に応じて絵本頁表示処理、音声再生処理、及び／又は話しかけ画面表示処理を順次行う。
【００４３】
ここでは、「ママ読み聞かせ」及び「再生音」の双方について「日英」モードが選択され、「話しかけ」について「オン」が選択された場合を例に説明を続ける。使用者Ｐがこのように選択すると、制御部４８はまず絵本頁表示処理を行う。この絵本頁表示処理では、制御部４８は、絵本の第１頁目に対応する画像データを記憶部４１から読み出し、当該画像データに基づき表示部４４に絵本頁画面を表示させる。絵本頁画面の一例を図１０（ｃ）に示す。ここでは、「ママ読み聞かせ」について「日英」モードが選択されていることから、物語の文章が日本語と英語の両方で表記されている。使用者Ｐが表示部４４に表示された文章を読み上げると、使用者Ｐから発せられた音声は上述のようにして胎教音発生装置３の音声出力部３２から胎児へ向けて出力されるので、使用者Ｐはこのようにして胎児に絵本の読み聞かせを行うことができる。
【００４４】
その後、使用者Ｐが次ボタン５６をタッチすると、制御部４８は音声再生処理を行う。ここでは、「再生音」について「日英」モードが選択されていることから、この音声再生処理では、第１頁目に対応する日本語及び英語のオーディオデータ（朗読データ）「むかしむかし、あるところに・・・・」「Once upon a time, there lived ・・・」が記憶部４１から読みだされ、上述の様にして胎教音発生装置３の音声出力部３２から胎児に向けて出力される。  
使用者Ｐが再び次ボタン５６をタッチすると、制御部４８は話しかけ画面表示処理を行う。この話しかけ画面表示処理では、該当頁に対応する話しかけ用画像データを記憶部４１から読み出し、当該画像データに基づき表示部４４に話しかけ画面を表示させる。話しかけ画面の一例を図１０（ｄ）に示す。この話しかけ画面には、物語の挿絵と共に話しかけ文例が表示され、使用者Ｐはこの話しかけ文例を参考にしながら胎児に対して物語に関連した話しかけを行うことができる。次に、使用者Ｐが次ボタン５７をタッチすると、次頁について同様の処理が実行される。
【００４５】
なお、胎児に兄姉がいる場合には、絵本の読み聞かせ及び／又は話しかけを胎児に対しだけでなく、兄姉に対しても同時に行うことができる。
【００４６】
ここで、使用者Ｐは「ママ読み聞かせ」についてのみ「日本語」モード、「英語」モード、「日英」モードのいずれかを選択し、「再生音」については何れも選択しないことも可能であり、この場合には、音声再生処理はスキップされ、使用者Ｐが図１０（ｃ）に示す絵本頁画面にて最初に次ボタン５６をタッチすると、音読データに基づく音声再生がなされることなく、図１０（ｄ）に示す様な話しかけ画面に切り替わる。逆に、使用者Ｐは「再生音」についてのみ「日本語」モード、「英語」モード、「日英」モードのいずれかを選択し、「ママ読み聞かせ」については何れも選択しないことも可能であり、この場合には、上述した絵本頁表示処理と音声再生処理とが同時に行われることとなる。
【００４７】
次に、文字胎教機能について説明する。文字胎教機能が実行処理されると、制御部４８は表示部４４に文字選択画面を表示させる。文字選択画面の一例を図１１（ａ）に示す。図１１（ａ）に示す例では、「あいうえお」と「ＡＢＣ」が表示されており、何れかをタッチすることで平仮名又はアルファベットを選択可能にされている。この文字選択画面において使用者Ｐが何れかの文字を選択すると、制御部４８は表示部４４に文字画面を表示させる。図１１（ａ）に示す文字選択画面において「あいうえお」が選択（タッチ）された場合に表示される文字画面の例を図１１（ｂ）に示す。この文字画面には平仮名の一文字が中央に大きく表示されると共に、この文字から始まる単語と、これに対応するイラストが表示される。よって、使用者Ｐは表示された文字を指でなぞりながら胎児に話しかけることで、胎児に文字を教えることができる。例えば、図１１（ｂ）の例では、使用者Ｐは「あ」の文字をなぞりながら、「これはね、ありさんの『あ』ですよ。」などと話かけながら、「あ」の文字を胎児に教えることができる。その後、使用者Ｐが次ボタン６１をタッチすると、例えば図１１（ｃ）に示す様に、次の平仮名についての文字画面が表示される。
【００４８】
また、使用者Ｐが図１１（ａ）に示す文字選択画面において「ＡＢＣ」を選択（タッチ）した場合に表示される文字画面の例を図１１（ｄ）に示す。この文字画面においても、使用者Ｐは同様に表示されたアルファベットを指でなぞりながら胎児に話しかけることで、胎児にアルファベットを教えることができる。
【００４９】
次に、お散歩機能について説明する。お散歩機能が実行処理されると、制御部４８は表示部４４にお散歩トップ画面を表示させる。お散歩トップ画面の一例を図１２（ａ）に示す。このお散歩トップ画面には話しかけ文例が表示され、使用者Ｐは表示された話しかけ文例を読み上げて胎児に話しかけことができる。次に、使用者Ｐが次ボタン６５をタッチすると、制御部４８は表示部４４にメイン選択画面を表示させる。メイン選択画面の一例を図１２（ｂ）に示す。このメイン選択画面では、話しかけ項目がリスト表示され、使用者Ｐが何れかの話しかけ項目を選択（タッチ）すると、制御部４８は選択された話しかけ項目に対応するサブ選択画面を表示部４４に表示させる。例えば、図１０（ｂ）に示すメイン選択画面で「何を数えよう」が選択された場合には、図１０（ｃ）に示す様なサブ選択画面が表示される。このサブ選択画面では、選択された話しかけ内容に対応する具体的項目がリスト表示され、使用者Ｐが何れかの具体的項目を選択（タッチ）すると、図１０（ｄ）に示す様な話しかけ画面が表示される。この話しかけ画面には、選択された具体的項目に対応する複数の話しかけ文例が表示されるので、使用者Ｐはこの話しかけ文例を参考にしながら胎児に話しかけることができる。また、使用者Ｐがサブ選択画面（図１２（ｃ））又は話しかけ画面（図１２（ｄ））にて戻るボタン６６,６７をタッチすると、１つ前の画面に戻り、使用者Ｐは話かけの内容を適宜変更することができる。
【００５０】
次に、スケジュール管理機能について説明する。スケジュール管理機能が実行処理されると、制御部４８は表示部４４に管理トップ画面を表示させる。管理トップ画面の一例を図１３に示す。このスケジュール管理機能を利用することにより、使用者Ｐは各管理項目について各種データを入力すると共に、各管理項目についての管理を行うことができる。例えば、管理項目「スケジュール」では、妊娠週数や出産予定日に応じた胎教スケジュール等を入力・管理できる。管理項目「食べたもの」では、日々の食事内容を入力・管理することができる。管理項目「自分で健康管理」では、自己の体重等を入力・管理することができる。管理項目「病院の検診記録」では、病院での検診記録を入力・管理することができる。
【００５１】
次に、赤ちゃん博士機能について説明する。赤ちゃん博士機能は所謂辞典機能であって、この機能を利用することにより使用者Ｐは妊娠、胎児、及び乳児に関する種々の知識を取得することができる。より具体的に、赤ちゃん博士機能が実行処理されると、制御部４８はまず、表示部４４に博士トップ画面を表示させる。博士トップ画面の一例を図１４に示す。図１４に示す例では、「おすすめレシピ」、「赤ちゃん儀式」、「胎教効果」、「育てマニュアル」がリスト表示されており、「おすすめレシピ」を選択することでつわりに効くレシピ等を調べることができ、「赤ちゃん儀式」を選択することで出産後に行われるお食い初め等の各種儀式について調べることができる。また、「胎教効果」を選択することで胎教の効果等を調べることができ、「育てマニュアル」を選択することで夜泣きの対処法等について調べることができる。なお、図１４に示す例では検索機能も備えており、使用者Ｐはキーワード検索を行うことができる。
【００５２】
このように、本実施形態によれば、使用者Ｐの声は、携帯端末４により集音されて胎教音発生装置３から胎児に向けて出力されるので、例えば散歩中や外出先などにおいても周囲の目を過度に気にすることなく、気軽に胎児に対して話しかけや絵本の読み聞かせ等を行うことができる。また、使用者Ｐは、表示部４４による表示内容を見ながら話しかけることができるので、胎児に話しかけることに不慣れな使用者であっても、どのように話しかけたら良いのか戸惑うことなく、表示部４４における表示内容をヒントに話しかけを行うことができる。
【００５３】
また、本実施形態に係る胎教システムを用いることで、使用者Ｐは胎教だけでなく、妊娠等に関するスケジュール管理や種々の知識の習得をも行うことができ、利便性が良い。更に、本実施形態によれば、複数の機能の各々について複数の項目に対する評価値が予め設定されており、各種機能の実行実績に基づいて各項目の成績値が算出されて表示されるので、使用者Ｐは自己が胎教や出産に向けた取り組み等をどの程度実行できているかを客観的に確認することができる。即ち、胎教を行うことは胎児の心身の育成に好影響を与えると言われているが、妊娠中においてはこのような効果を実感しにくいという側面がある。しかしながら、このように自己の取り組みについて成績値が表示されることで、使用者Ｐは一定の達成感を得ることができ、使用者Ｐの胎教等に対する取り組みを促すことができる。また、何れの機能も実行されないまま所定時間が経過すると、成績値は減算されていくため、これによっても継続的な胎教等への取り組みを促すことができる。
【００５４】
なお、上記実施形態において、図１０（ｃ）に例示する絵本頁画面、図１０（ｄ）に例示する話しかけ画面、図１１（ｂ）〜図１１（ｄ）に例示する文字画面、図１２（ｄ）に例示する話しかけ画面が、本発明における胎教画面に対応する。
【００５５】
以上、本発明の実施形態に係る胎教システムについて添付の図面を参照して説明したが、本発明はかかる実施形態に限定されず、本発明の範囲を逸脱することなく種々の変形乃至修正が可能である。例えば、上記実施形態においては胎教音発生装置３と携帯端末４とは無線通信手段により通信接続されたが、有線通信手段により通信接続されても良い。
【００５６】
また、携帯端末装置に歩数計測手段を設け、上述のお散歩機能実行処理中における歩数を計測し、このように計測された歩数をスケジュール管理機能の実行処理において表示するようにしてもよい。
【００５７】
更に、上記実施形態においては、複数の成績値をレーダーチャート形式で表示したが、成績値の表示方法はこれに限定されず、例えば棒グラフなどの各種グラフ形式で表示させることもでき、或いは数値で表示してもよい。
【００５８】
また、上記実施形態においてはコルセットタイプの妊婦帯を装着具として用いたが、本発明における装着具はこれに限定されず、例えばベルト状、ガードル状、腹巻き状、エプロン状など、少なくとも胎児に向かって音声を出力できる状態で胎教音発生装置を収容可能であれば、その形状等に制限はない。
【００５９】
上記実施形態においては、６個の項目について成績値を表示するようにしたが、項目数は６個に限定されない。また、上述した６個の項目はあくまでも具体例であって、これらとは異なる項目を用いることもできる。
【符号の説明】
【００６０】
２  装着具
３  胎教音発生装置
４  携帯端末
Ｔ１  参照テーブル
Ｔ２  成績テーブル
【図１】
2015053566.tif 000003
【図２】
2015053566.tif 000004
【図３】
2015053566.tif 000005
【図４】
2015053566.tif 000006
【図５】
2015053566.tif 000007
【図６】
2015053566.tif 000008
【図７】
2015053566.tif 000009
【図８】
2015053566.tif 000010
【図９】
2015053566.tif 000011
【図１０】
2015053566.tif 000012
【図１１】
2015053566.tif 000013
【図１２】
2015053566.tif 000014
【図１３】
2015053566.tif 000015
【図１４】
2015053566.tif 000016